(57)【要約】  歯科器具のための振動型歯科用アングル・ハンドピースは、内部に駆動シャフト（１３）を同軸で収容するのに適した第１の長手方向空洞（１２Ａ）と、第１の空洞（１２Ａ）の端部に配置され、第１の空洞（１２Ａ）の軸線に入射する軸線を有する第２の横方向空洞（１２Ｂ、１１２Ｂ）とを定める、中空ハウジング本体（１２）、並びに、駆動ホルダ（２０、２０’、２０’’、２０’’’、１２０）を備え、駆動シャフト（１３）の回転運動は、駆動ホルダ（２０、２０’、２０’’、２０’’’、１２０）の振動運動に変換され、該アングル・ハンドピースは、全体が合成材料から作製される。【選択図】      図４
2015509809.tif 000002
【特許請求の範囲】
【請求項１】
歯科器具のための振動型歯科用アングル・ハンドピースであって、
内部に駆動シャフト（１３）を同軸で収容するのに適した第１の長手方向空洞（１２Ａ）と、前記第１の空洞（１２Ａ）の端部に配置され、該第１の空洞（１２Ａ）の軸線と交差する軸線を有する第２の横方向空洞（１２Ｂ、１１２Ｂ）とを定める、中空ハウジング本体（１２）と、
駆動ホルダ（２０、２０’、２０’’、２０’’’、１２０）と、を備え、
前記駆動シャフト（１３）の回転運動が、前記駆動ホルダ（２０、２０’、２０’’、２０’’’、１２０）の振動運動に変換され、
全体が合成材料から作製される、ことを特徴とするアングル・ハンドピース。
【請求項２】
前記駆動ホルダ（２０、２０'、２０''、２０'''、１２０）が、器具に取外し可能方式又は固定方式で接続することができる形式であるか、或いは、器具と一体に作製された形式である、ことを特徴とする請求項１に記載のアングル・ハンドピース。
【請求項３】
前記駆動ホルダ（２０、２０'、２０''、２０'''、１２０）が交換式である、ことを特徴とする請求項１又は２に記載のアングル・ハンドピース。
【請求項４】
前記回転運動が、前記駆動シャフト（１３）の端部に非同軸位置で配置された円筒形状に作られたカム（１８）と、直線振動運動の並進軸（Ｆ）と平行な方向で測定した幅（ｘ）が前記カム（１８）の直径よりわずかに大きい、前記器具の前記駆動ホルダ（２０、２０'、２０''、２０'''、１２０）の座部（２１、１２１）との間のカム接続によって、交互直線振動運動に変換される、ことを特徴とする請求項１〜請求項３のいずれかに記載のアングル・ハンドピース。
【請求項５】
前記座部（１２１）が、前記器具に向かって減少する、前記並進軸（Ｆ）に垂直な方向で測定した高さ（ｙ）を有する、ことを特徴とする請求項４に記載のアングル・ハンドピース。
【請求項６】
前記駆動ホルダ（２０、２０'、２０''、２０'''、１２０）には、振動の方向に平行な穴（２２）が設けられ、この穴（２２）によって、不連続又は連続位置で方向付けることができる結合手段に従って歯科器具のシャンク（３０）と取外し可能に係合することができる、ことを特徴とする請求項３〜請求項５のいずれかに記載のアングル・ハンドピース。
【請求項７】
前記穴（２２）と前記シャンク（３０）との間に介在するＯリング状の保持リング（２３）が、前記連続位置に従った方向付けを可能にする、ことを特徴とする請求項６に記載のアングル・ハンドピース。
【請求項８】
前記穴（２２）が軸方向に心合わせされている、ことを特徴とする請求項６〜請求項７のいずれかに記載のアングル・ハンドピース。
【請求項９】
前記シャンク（３０）と固定方式又は取外し可能方式で係合することができる安全キャップ（４０）を含む、ことを特徴とする請求項８に記載のアングル・ハンドピース。
【請求項１０】
前記シャンク（３０）には、前記安全キャップ（４０）の突出ピン（４１）との固定係合のためのスリット（３５）が、前記器具に対して反対側の端部に設けられている、ことを特徴とする請求項９に記載のアングル・ハンドピース。
【請求項１１】
前記安全キャップ（４０）は、差込みロック機構によって、前記駆動ホルダ（２０、２０'、１２０）に取外し可能に連結することができる、ことを特徴とする請求項９又は１０に記載のアングル・ハンドピース。
【請求項１２】
前記中空ハウジング本体（１１２Ｂ）及び前記駆動ホルダ（２０、１２０）は、前記カム（１８）用の前記座部（１２１）に対して直径方向で該駆動ホルダ（２０、１２０）の反対側において、前記並進軸（Ｆ）に平行に配置された平坦な結合部分（１９、２５）を除いて、それらのシェルに沿って適合する円錐形状を有する、ことを特徴とする請求項４〜請求項１１のいずれかに記載のアングル・ハンドピース。
【請求項１３】
前記駆動ホルダ（２０、２０''、２０'''）は、器具と係合するか又は固定接続することが可能な前方部分（２０’’Ａ、２０’’’Ａ）、及び、前記駆動シャフト（１３）と連結する後方部分（２０’’Ｂ）の、２つの部分で作られており、
前記２つの部分（２０’’Ａ、２０’’Ｂ）は、関節部（２４）を介して一緒に接続され、
前記第１の部分（２０’’Ａ）は、前記第１の部分（２０’’Ｂ）に対して３６０°回転可能である、ことを特徴とする請求項１〜請求項５のいずれかに記載のアングル・ハンドピース。
【請求項１４】
前記駆動シャフト（１３）は、前記中空ハウジング本体（１２）の連結される部分の直径よりもわずかに小さい直径を有する複数の環状突出部（１４）を備え、
前記環状突出部（１４）は、前記中空ハウジング本体（１２）の穴（１７）の中に位置決めされるロッキングキャップ（１６）のための結合要素も構成する、ことを特徴とする請求項１〜請求項１３のいずれかに記載のアングル・ハンドピース。
【請求項１５】
前記合成材料は滅菌することができる、ことを特徴とする請求項１〜請求項１４のいずれかに記載のアングル・ハンドピース。
【発明の詳細な説明】
【技術分野】
【０００１】
本発明は、歯科器具のための振動ムーブメントを装備した歯科用アングル・ハンドピース（angle handpiece）に関する。より詳細には、本発明は、使い捨て型アングル・ハンドピースとして用いるのに適した振動型歯科用アングル・ハンドピースに関する。
【背景技術】
【０００２】
金属製なので使い捨て型ではないが再使用前に滅菌することができる、振動ムーブメントを装備した振動型の歯科用ハンドピースが知られている。
これらは、例えばドリルのような回転運動が歯科器具に伝達される回転型歯科用ハンドピースとは異なる。
他方、振動型歯科用ハンドピースは、交互往復直線振動運動を器具に伝達する。そうした器具の非限定的な例は、やすり、ストリップ及び研磨器具である。このような振動運動型器具は、隣接歯間の予防的、回復的又は歯科矯正学的処置において特に有用である。
【先行技術文献】
【特許文献】
【０００３】
【特許文献１】国際公開第２０１０／０９５０１７Ａ１号
【発明の概要】
【発明が解決しようとする課題】
【０００４】
本発明の目的は、使い捨て型アングル・ハンドピースとして用いることができる振動型歯科用アングル・ハンドピースを作製することである。
【０００５】
本発明の別の目的は、異なる形式の器具を固定する事が可能な振動型歯科用アングル・ハンドピースを作製することである。
【０００６】
本発明のさらなる目的は、器具を方向付けることを可能にする振動型歯科用アングル・ハンドピースを作製することである。
【０００７】
本発明の別の目的は、特に簡素で機能的な、低価格の振動型歯科用アングル・ハンドピースを作製することである。
【課題を解決するための手段】
【０００８】
本発明によるこれらの目的は、請求項１で概略を述べる振動型歯科用アングル・ハンドピースを作製することによって達成される。
さらなる特徴は、従属請求項で与えられる。
【０００９】
本発明による振動型歯科用アングル・ハンドピースの特徴及び利点は、添付の略図を参照して、限定の目的ではなく例示として与えられる以下の説明から明らかになる。
【図面の簡単な説明】
【００１０】
【図１】本発明による歯科器具のための振動型歯科用アングル・ハンドピースの略断面図である。
【図２】本発明による歯科器具のための振動型歯科用アングル・ハンドピースの第１の実施形態を示す略断面図である。
【図３】本発明による歯科器具のための振動型歯科用アングル・ハンドピースの第２の実施形態を示す略断面図である。
【図４】本発明による歯科器具のための振動型歯科用アングル・ハンドピースの第３の実施形態を示す略断面図である。
【図５】マイクロモータに接続可能なハンドルに適用された、本発明による振動型歯科用アングル・ハンドピースの第４の実施形態を示す。
【図６】図５の振動型歯科用アングル・ハンドピースを示す断面図である。
【図７】図５の振動型歯科用アングル・ハンドピースを分解された構成で示す。
【図８】図５の振動型アングル・ハンドピースのホルダに連結された駆動シャフトの側面図である。
【図９】図５の振動型アングル・ハンドピースのホルダに連結された駆動シャフトの背面図である。
【発明を実施するための形態】
【００１１】
図面を参照すると、歯科器具のための振動ムーブメントを装備した振動型歯科用アングル・ハンドピースは、全体が１０で示されており、中空ハウジング本体１２を含み、この中空ハウジング本体は、内部に駆動シャフト１３を同軸で収容するのに適した第１の長手方向空洞１２Ａと、第１の空洞１２Ａの端部に配置され、第１の空洞１２Ａの軸線に入射する軸線を有し、図１に模式的に示されるとともにその多様な変形の実施形態である２０’、２０’’、２０’’’及び１２０が図２〜図９に示される駆動ホルダ２０を収容するのに適した、第２の横方向空洞１２Ｂ、１１２Ｂと、を定める。
【００１２】
以下個別に説明されるアングル・ハンドピース１０の共通部分は、各々の場合において、それに付随する特定の構成要素を有することができ、これらは種々の実施形態により異なる。
【００１３】
駆動シャフト１３は、図示されていない外部マイクロモータで回転するように設定されるのに適したものである。マイクロモータから駆動シャフト１３への回転運動の伝達は、本発明によるいずれのアングル・ハンドピース１０にも接続可能な、例示としてのみ図５に示したアダプタ・ハンドル１１を通して行われることが好ましい。あるいは、アングル・ハンドピース１０は、マイクロモータに直接接続することもできる。
【００１４】
駆動シャフト１３は、中空ハウジング本体の連結される部分の直径よりもわずかに小さい直径を有する複数の環状突出部１４を備え、これらが、駆動シャフト１３を、回転中、中空本体１２に対して同軸に保持する。環状突出部１４はまた、駆動シャフト１３を中空本体１２内に軸方向に取り付けた後で駆動シャフト１３を軸方向で所定位置に保持するために中空本体１２の穴１７の中に配置されるロッキングキャップ１６に対する、結合要素も構成する。例えば、隣接する２つの環状突出部１４の間に、ロッキングキャップ１６の端部と係合する環状座部１５が設けられるか（図２及び図３）、又は、環状突出部１４の１つがそれ自体、ロッキングキャップ１６の２つの突出した歯の間に受け入れられる（図６）。
【００１５】
駆動シャフト１３の回転運動は、駆動シャフト１３の端部に非同軸位置で、すなわち駆動シャフト１３の回転軸から偏心して配置された、円筒形状に作られたカム１８と、直線振動運動の並進軸Ｆに対して平行な方向で測定した幅ｘがカム１８の直径よりわずかに大きい適切な座部２１、１２１を備えた駆動ホルダ２０との間のカム接続を通じて、器具の交互往復直線振動運動に変換される。駆動シャフト１３が回転するにつれて、カム１８が駆動ホルダ２０を一緒に引っ張り、これを軸Ｆに沿って振動往復運動させる。
【００１６】
駆動ホルダ２０は、中空ハウジング本体１２の第２の空洞１２Ｂ、１１２Ｂの壁によって振動運動で駆動され、この第２の空洞は、例示として示され限定を目的としないこの例においては、駆動シャフト１３の軸に対して垂直ではない角度で配置される。従って、これらの例において、振動軸もまた、駆動シャフト１３の回転軸に対して垂直ではない角度で配置される。
【００１７】
本発明によるハンドピース１０は、駆動ホルダ２０の、例えば０．１ｍｍと５ｍｍとの間に含まれる様々な長さを有することができる交互直線振動運動を発生させる。
駆動ホルダ２０は、本発明によれば、並進軸の周りでいかなる回転運動も行わない。
【００１８】
駆動ホルダ２０は、図１に器具自体を伴わない状態で概略的に示されている。器具は、駆動ホルダに取外し可能に接続することもでき（図２、図３及び図５〜図９）、又はこれと一体に作製することもできる（図４）。
【００１９】
アングル・ハンドピース１０は、全体が、合成材料から、例えば、補強充填材を含む可能性がある、ポリカーボネート、ポリアミド（例えばナイロン）、ＰＥＥＫから、作製される。
合成材料で作製されたアングル・ハンドピースは、随意に滅菌することもできるが、そのことは使い捨て型アングル・ハンドピースには厳密には必須ではない。
【００２０】
図２は、器具を取外し可能な方式で受け入れるのに適した駆動ホルダ２０’の第１の実施形態を装備した、図１のアングル・ハンドピース１０について図示し説明したものと一致する振動型アングル・ハンドピース１０の実施形態の断面を示す。駆動ホルダ２０’には、歯科器具のシャンク３０を取外し可能に係合するように受け入れるのに適した穴２２が、振動の方向に平行に設けられる。
【００２１】
シャンク３０は、図示されていない実施形態によれば、器具と一体に作製することも可能であり、又は、図２に示すように、適切な台座３１、歯科器具内に取外し可能に係合するように受け入れるのに適したものとすることもでき、その非限定的な例はここで全体が参照される特許文献１に示されている。図２に示す実施形態において、歯科器具のための係合台座３１には、器具の締結部とのスナップロックのための弾性保持歯２がさらに設けられる。
【００２２】
取外し可能シャンク３０は、歯科器具を特定の歯科的処置に最も適した位置に対して方向付けるために、穴２２で構成されたその座部の内部で、任意の所望の角度に従って、すなわち連続的な位置に従って、３６０°回転させることができる。保持リング２３（Ｏリング）が回転に対する十分な摩擦を保証するので、歯科器具は、使用時にはハンドピース１０に対して回転しないようになっている。
【００２３】
図３は、これもまた器具３３を取外し可能に受け入れるのに適した駆動ホルダ２０’’の第２の実施形態を装備した、図１及び図２のアングル・ハンドピース１０について図示し説明したものと一致する振動型アングル・ハンドピース１０の実施形態の断面を示す。駆動ホルダ２０’’は、器具を保持するのに適した前方部分２０’’Ａ、及び、駆動シャフト１３に連結する後方部分２０’’Ｂの、２つの部分で作られている。これら２つの部分は、関節部２４を通じて互いに接続されており、歯科器具を特定の歯科的処置に最も適した位置に対して方向付けるために、任意の所望の角度に従って、すなわち連続的な位置に従って、実質的に３６０°に等しく相互回転することができるようになっている。
【００２４】
関節部の近くに配置されたＯリング形式の保持リング２３が回転に対する十分な摩擦を保証するので、歯科器具は、使用時にはハンドピース１０に対して回転しないようになっている。
【００２５】
前方部分２０’’Ａは、図３に示す例においては、このような前方部分２０’’Ａと一体に作製されたシャンク部品３０’を含み、これには、図２の実施形態に関して説明したような形式の歯科器具との取外し可能な係合のための、具体的には器具の締結部とのスナップロックのための弾性保持歯２を装備した、台座３１が装備される。
【００２６】
図４に示す本発明の振動型ハンドピース１０物体の第３の実施形態によれば、駆動ホルダ２０’’’は、アングル・ハンドピース１０と一体に作製された、すなわち駆動ホルダ２０’’’に対して取外し可能ではない歯科器具３３を直接保持する、前方部分２０’’’Ａを含む。
【００２７】
本発明による振動型アングル・ハンドピースの図示していない更に別の変形の実施形態によれば、駆動ホルダと一体に作製された器具は、固定された方向を有するもの、すなわち振動の方向に平行な軸の周りで回転できないものとすることができ、又は、そうした回転を、関節部２４と等価な、連続的又は不連続な位置調整を行うための他の手段によって行うことができる。
【００２８】
図１〜図４に限定の目的ではなく例示として示す実施形態において、駆動ホルダ２０’、２０’’、２０’’’、及び、これを受け入れる中空ハウジング本体１２の第２の空洞１２Ｂは、適合する円筒形状を有する。
【００２９】
本発明のアングル・ハンドピース１０物体の第４の好ましい実施形態によれば、第２の（横方向）空洞及び駆動ホルダ１２０は、それらのシェルに沿って、並進軸Ｆに平行な平坦な結合部分を除いて、合成材料から作られるこれらの部品の成形による製造を簡便にするために好ましい、適合する円錐形状を有する。実際に、駆動ホルダ１２０は、外側シェル上に、直線振動運動の並進軸Ｆに従って方向付けられるとともにカム用座部１２１に対して直径方向で反対側に配置された、平坦部分２５を有する。従って、中空ハウジング本体１２の第２の空洞１１２Ｂには、該空洞の内部に突き出するとともにこれもまた直線振動運動の並進軸Ｆに従って方向付けられた、適合する平面１９が設けられる。
【００３０】
カム１８は、この実施形態によれば、座部１２１内に受け入れられ、並進軸Ｆに垂直な方向で測定したその高さｙは、円錐形の駆動ホルダ１２０の大きい方の直径を有する端部、すなわち器具を受け入れるのに適した端部の方向に次第に短くなっている。実際に、座部１２１は、アングル・ハンドピースが装着されたときにそれに面するカム１８の前壁に対して平行な底壁を有する。
【００３１】
この、カム１８と座部１２１との間の具体的な結合は、並進方向Ｆに平行な平面上で、駆動ホルダ１２０と空洞１１２Ｂとの間の結合と協働で作用するように選択され、器具の運動が専ら交互直線振動となることを保証する。実際に、駆動シャフト１３の回転中、カム１８は、駆動ホルダ１２０を、平坦な結合に沿って空洞１１２Ｂと常に接するように保持する。しかし、これら２つの特徴は、別々に用途を有することもできる。
【００３２】
第４の実施形態によるアングル・ハンドピース１０において、シャンク３０を受け入れる駆動ホルダ１２０の穴２２は、軸方向に心合わせして作られる。
【００３３】
シャンク３０には、好ましくは、Ｏリング２３を保持する座部３４が設けられるとともに、安全キャップ４０の突出ピン４１と取外し可能形式又は取外し不可形式で固定係合するためのスリット３５が、器具の係合台座３１の反対側の端部に設けられる。
【００３４】
安全キャップ４０は、アングル・ハンドピース１０の動作時にホルダ内のシャンク３０を保持するものであり、取外し可能な実施形態として図５〜図９に示されているが、これを固定して、シャンク３０を駆動ホルダ１２０から取り外すことができないようにすることもできる。
【００３５】
図示した取外し可能方式において、安全キャップ４０は、駆動ホルダ１２０の適切な座部２６と係合して差込みロック機構を構成するのに適した２つの反対向きのピン４２を備える。外部グリップ要素４３に作用する時計回り又は反時計回りの回転を安全キャップ４０に与えることで、この差込み機構をロック又は解除することができる。
【００３６】
本発明による振動型歯科用アングル・ハンドピース１０は、振動運動で駆動される、例えば、やすり、ストリップ、及び研磨器具のような任意の歯科器具と組み合わせることができる。説明し及び図示した器具は、例示として解されるべきであり、限定を目的としたものではない。
【００３７】
本発明による振動型歯科用アングル・ハンドピース１０は、まず、駆動ホルダ２０、２０’、２０’’、２０’’’、１２０を中空ハウジング本体１２の第２の空洞１２Ｂ、１１２Ｂの内部に挿入し、次に、駆動シャフト１３を中空ハウジング本体１２の第１の空洞１２Ａの内部に、カム１８が座部２１の中に差し込まれるまで軸方向に差し込むことによって組み立てられる。外部から中空ハウジング本体１２の穴１７の中に挿入されて環状座部１５に係合するロッキングキャップ１６が、中空ハウジング本体１２内での駆動シャフト１３の安定な軸方向位置を定める。座部１５の環状構造により、駆動シャフト１３と中空ハウジング本体１２との間の相対回転が可能になる。
【００３８】
別個の部品として作製されたシャンク３０が装備されるアングル・ハンドピース１０の場合、該シャンクは、駆動ホルダ内に挿入され、取外し可能に又は固定的にこれと連結される。
【００３９】
本発明による振動型歯科用アングル・ハンドピースは、全体がプラスチックで作製されるという利点を有する。従って、本発明の振動型歯科用アングル・ハンドピースは、使い捨て型アングル・ハンドピースとして用いられるのに適したものであることが有利である。
【００４０】
更なる利点は、操作者が各々の場合に好ましい歯科器具の締結形式を選択できるように、振動型歯科用アングル・ハンドピースのその他の構成要素を維持したままで、駆動ホルダを容易に取り替えることが可能であるということである。その結果として、操作者が単一構成要素を多数購入して保管しておく必要があるという不利益を伴うことなく、可能な組合せに関して大幅な融通性を有する。
【００４１】
本発明による振動型歯科用アングル・ハンドピースは、歯科的処置を最大精度で行うことを可能にする、専ら交互直線振動型のムーブメントを装備することもまた有利である。
【００４２】
従って、振動型アングル・ハンドピースには、それら全てが本発明によってカバーされる多数の変更及び変形を行うことができるものと考えられ、さらに、細部の全てを技術的に均等の要素で置き換えることができる。実際には、用いられる材料、並びにサイズは、技術的要件に応じてどのようにもすることができる。
【符号の説明】
【００４３】
１０：アングル・ハンドピース
１１：アダプタ・ハンドル
１２：中空ハウジング本体
１２Ａ：第１の空洞
１２Ｂ、１１２Ｂ：第２の空洞
１３：駆動シャフト
１４：環状突出部
１５：環状座部
１６：ロッキングキャップ
１７：穴
１８：カム
１９、２５：平坦な結合部分
２０、２０’、２０’’、２０’’’、１２０：駆動ホルダ
２０’’Ａ、２０’’’Ａ：前方部分
２０’’Ｂ：後方部分
２１、１２１：カム用座部
２２：穴
２３：保持リング（Ｏリング）
２４：関節部
３０：シャンク
３１：係合台座
３３：器具
３５：スリット
４０：安全キャップ
４１：突出ピン
Ｆ：並進軸
【図１】
2015509809.tif 000003
【図２】
2015509809.tif 000004
【図３】
2015509809.tif 000005
【図４】
2015509809.tif 000006
【図５】
2015509809.tif 000007
【図６】
2015509809.tif 000008
【図７】
2015509809.tif 000009
【図８】
2015509809.tif 000010
【図９】
2015509809.tif 000011
【国際調査報告】
2015509809.tif 000012
2015509809.tif 000013
2015509809.tif 000014
2015509809.tif 000015
2015509809.tif 000016